(57)【特許請求の範囲】
【請求項１】
底部と、底部の一方の相対する高さの低い土手部にヒンジ連結された一方の相対する側壁と、底部のもう一方の相対する高さの高い土手部にヒンジ連結されたもう一方の相対する側壁とからなり、前記一方の相対する側壁の両端部には、前記一方の相対する側壁に沿って係合枠が形成されており、また、前記もう一方の相対する側壁には、前記もう一方の相対する側壁に対して直角で、且つ、前記一方の相対する側壁方向に延在する係合枠が形成されており、折り畳まれた状態から箱型に組み立てる際には、先ず最初に、前記一方の相対する側壁の上に重ねられている前記もう一方の相対する側壁を略垂直に立て、次いで、前記一方の相対する側壁を略垂直に立てて、前記一方の相対する側壁に形成されている係合枠と前記もう一方の相対する側壁に形成された係合枠とを係合させ、また、箱型に組み立てられた状態から折り畳む際には、先ず最初に、底部の上に、前記一方の相対する側壁を、その先端部分が重なるように折り畳み、次いで、前記一方の相対する側壁の上に、前記もう一方の相対する側壁を重なるように折り畳むように構成された折り畳みコンテナーにおいて、前記もう一方の相対する側壁の内壁面の中央領域には、上端から下端まで延在する凹部が形成されており、折り畳まれた状態においては、その先端部分が重なり合うように折り畳まれた前記一方の相対する側壁のうち、上方に位置する前記一方の側壁の先端部分の重合部分及びその付近に位置する部分が、前記もう一方の相対する側壁の内壁面の中央領域に形成された前記凹部に入り込み収容され、その先端部分が重なり合うように折り畳まれた前記一方の相対する側壁のうち、上方に位置する前記一方の側壁が、前記もう一方の相対する側壁に当接しないように構成されており、且つ、前記底部の高さの低い土手部には、折り畳まれた状態において、前記もう一方の相対する側壁に形成された前記係合枠が挿入可能な凹部が形成されていることを特徴とする折り畳みコンテナー。
【発明の詳細な説明】
【０００１】
【発明の属する技術分野】
本発明は、底部を囲むように配設された側壁が、底部に重なるように折り畳むことが可能な折り畳みコンテナーに関するものである。
【０００２】
【従来の技術】
従来，平面形状が略長方形に形成された底部１の相対する長辺部１ａにヒンジ連結された長側壁２と、同じく上記底部１の相対する短辺部１ｂにヒンジ連結された短側壁３とからなる折り畳みコンテナーが知られている。このような折り畳みコンテナーを、箱型に組み立てられた状態から折り畳むには、先ず最初に、長側壁２を底部１方向に倒して底部１に重ねるが、この際、長側壁２の先端部分が、互いに重なり合うように、底部１に重ねられている。次いで、短側壁３を、底部１方向に倒して、先に倒され底部１に重ねられている長側壁２の上に重ねることにより、図５に示されているように、折り畳むように構成されている。なお、１ａ１は、底部１の長辺部１ａに形成された凹部であり、短側壁３を、略水平状に倒した際に、短側壁３の両端部に形成された、短側壁３に対して直角な公知の係合枠３ａが、上記の凹部１ａ１に挿着されるように構成されている。
【０００３】
【発明が解決しようとする課題】
従来の折り畳みコンテナーにおいては、折り畳まれた状態において、先に倒され、その先端部分が、互いに重なり合うように、底部１に重ねられている長側壁２の上面に、後から倒される短側壁３が当接し、短側壁３に形成された係合枠３ａの先端部３ａ１が、底部１の長辺部１ａに形成された凹部１ａ１を構成する長辺部１ａの上端１ａ２に載置されずに、係合枠３ａの先端部３ａ１と長辺部１ａの上端１ａ２との間に間隙が形成され、短側壁３が、底部１の長辺部１ａから浮き上がった状態になる。
【０００４】
上述したように、折り畳みコンテナーを折り畳んだ状態において、短側壁３が、底部１から浮き上がった状態であると、折り畳んだ状態の折り畳みコンテナーの高さが高くなり、従って、折り畳んだ状態の折り畳みコンテナーの収容効率が低下するとともに、折り畳んだ状態の折り畳みコンテナーを、段積みした際に、段積み状態が不安定になり、多数の折り畳んだ状態の折り畳みコンテナーを段積みすることができないという問題があった。
【０００５】
本発明の目的は、上述した従来の折り畳みコンテナーが有する課題を解決することにある。
【０００６】
【課題を解決するための手段】
本発明は、上述した目的を達成するために、底部と、底部の一方の相対する高さの低い土手部にヒンジ連結された一方の相対する側壁と、底部のもう一方の相対する高さの高い土手部にヒンジ連結されたもう一方の相対する側壁とからなり、前記一方の相対する側壁の両端部には、前記一方の相対する側壁に沿って係合枠が形成されており、また、前記もう一方の相対する側壁には、前記もう一方の相対する側壁に対して直角で、且つ、前記一方の相対する側壁方向に延在する係合枠が形成されており、折り畳まれた状態から箱型に組み立てる際には、先ず最初に、前記一方の相対する側壁の上に重ねられている前記もう一方の相対する側壁を略垂直に立て、次いで、前記一方の相対する側壁を略垂直に立てて、前記一方の相対する側壁に形成されている係合枠と前記もう一方の相対する側壁に形成された係合枠とを係合させ、また、箱型に組み立てられた状態から折り畳む際には、先ず最初に、底部の上に、前記一方の相対する側壁を、その先端部分が重なるように折り畳み、次いで、前記一方の相対する側壁の上に、前記もう一方の相対する側壁を重なるように折り畳むように構成された折り畳みコンテナーにおいて、前記もう一方の相対する側壁の内壁面の中央領域には、上端から下端まで延在する凹部が形成されており、折り畳まれた状態においては、その先端部分が重なり合うように折り畳まれた前記一方の相対する側壁のうち、上方に位置する前記一方の側壁の先端部分の重合部分及びその付近に位置する部分が、前記もう一方の相対する側壁の内壁面の中央領域に形成された前記凹部に入り込み収容され、その先端部分が重なり合うように折り畳まれた前記一方の相対する側壁のうち、上方に位置する前記一方の側壁が、前記もう一方の相対する側壁に当接しないように構成し、且つ、前記底部の高さの低い土手部に、折り畳まれた状態において、前記もう一方の相対する側壁に形成された前記係合枠が挿入可能な凹部を形成したものである。
【０００７】
【実施例】
以下に、本発明の実施例について説明するが、本発明の趣旨を越えない限り何ら、本実施例に限定されるものでない。
【０００８】
１０は、平面形状が長方形状の底部であり、底部１０の相対する長辺側土手部（長辺部）１０ａには、長側壁２０がヒンジ連結されており、また、底部１０の相対する短辺側土手部（短辺部）１０ｂには、短側壁３０がヒンジ連結されている。本実施例においては、長辺側土手部１０ａの高さは、短辺側土手部１０ｂの高さより低く形成されている。
【０００９】
短側壁３０の両端部には、短側壁３０に対して直角で、且つ、長側壁２０方向に延在する、上述した係合枠３ａと同様の係合枠３０ａが形成されている。本実施例においては、係合枠３０ａには、嵌合孔３０ａ１と、嵌合孔３０ａ１の下方に位置する係合枠３０ａの内面に突設された係止雄突起３０ａ２と、係止雄突起３０ａ２の上下に穿設された透孔３０ａ３とが形成されている。
【００１０】
長側壁２０の両端部の外側には、短側壁３０の係合枠３０ａに対応して、長側壁２０に沿って係合枠２０ａが形成されている。係合枠２０ａには、短側壁３０の係合枠３ａに穿設された嵌合孔３０ａ１に挿入可能な突起２０ａ１が突設されているとともに、短側壁３０の係合枠３ａに形成された係止雄突起３０ａ２を挟持するとともに係止する一対の係止片２０ａ２が形成されている。この一対の係止片２０ａ２の先端部は、短側壁３０の係合枠３ａの係止雄突起３０ａ２の上下に穿設された透孔３０ａ３に挿入されるように構成されている。
【００１１】
また、底部１０の長辺側土手部１０ａには、短側壁３０を、底部１０方向に倒した際に、短側壁３０に配設された係合枠３ａが挿着可能な凹部１０ｃが形成されており、短側壁３０を、底部１０方向に倒した際には、短側壁３０に配設された係合枠３ａの先端面３０ａ４が、上記凹部１０ｃを形成する底部１０の長辺側土手部１０ａの上端１０ｃ１に載置されるように構成されている。
【００１２】
箱型に組み立てられた折り畳みコンテナーを、折り畳む際に、後から倒される短側壁３０の内壁面３０ｂの中央領域には、短側壁３０の上端から下端まで延在する凹部３０ｃが形成されている。
【００１３】
図３に示されているように、折り畳まれた状態の折り畳みコンテナーを、図１に示されているように、箱型に組み立てるには、先ず最初に、底部１０に重ねられた長側壁２０の上に重ねられている短側壁（後から倒された側壁）３０を、図２に示されているように、略垂直に立て、次いで、底部１０に重ねられている長側壁（先に倒された側壁）２０を、略垂直に立てて箱型に組み立てるが、箱型に組み立てられた状態においては、長側壁２０の係合枠２０ａの突起２０ａ１が、短側壁３０の係合枠３ａに穿設された嵌合孔３０ａ１に挿入され、また、長側壁２０の係合枠２０ａに形成された一対の係止片２０ａ２が、短側壁３０の係合枠３ａに形成された係止雄突起３０ａ２を挟持するとともに係止し、且つ、長側壁２０の係合枠２０ａに形成された一対の係止片２０ａ２の先端部が、短側壁３０の係合枠３ａの係止雄突起３０ａ２の上下に穿設された透孔３０ａ３に挿入される。このようにして、箱型に組み立てられた折り畳みコンテナーの最初に倒される長側壁２０が、簡単には、底部１０方向に倒れないように構成されている。
【００１４】
また、図１に示されているように、箱型に組み立てられた折り畳みコンテナーを、図３に示されているように、折り畳むには、先ず最初に、長側壁２０の係合枠２０ａと短側壁３０の係合枠３ａとの係合を解除するとともに、長側壁（先に倒される側壁）２０を、底部１０方向に倒して、図２に示されているように、長側壁２０の先端部分が互いに重なり合うように、底部１０に重ねる。次いで、短側壁（後から倒される側壁）３０を倒して、底部１０に重ねられている長側壁２０の上に重ねることにより折り畳む。
【００１５】
上述したように、先端部分が互いに重なり合うように、底部１０に重ねられた長側壁２０のうち、上方に位置する長側壁２０の先端部分の重合部分２０’及びその付近に位置する部分は、短側壁３０の上端から下端まで延在する凹部３０ｃ内に入り込み収容されるように構成され、折り畳まれ水平状態の短側壁３０に当接しないように構成されている。このように、先端部分が互いに重なり合うように、底部１０に重ねられた長側壁２０のうち、上方に位置する長側壁２０の先端部分の重合部分２０’及びその付近に位置する部分が、短側壁３０の上端から下端まで延在する凹部３０ｃ内に入り込み収容されるように構成され、折り畳まれ水平状態の短側壁３０に当接しないように構成されているので、短側壁３０に配設された係合枠３ａの先端面３０ａ４が、確実に、底部１０の凹部１０ｃを形成する長辺側土手部１０ａの上端１０ｃ１に載置されることになり、従って、短側壁３０が、底部１０の長辺部１０ａから浮き上がるようなことはない。
【００１６】
図３に示されているように、折り畳みコンテナーが折り畳まれた状態においては、先端部分が互いに重なり合うように、底部１０に重ねられた長側壁２０のうち、上方に位置する長側壁２０の先端部分の重合部分２０’及びその付近に位置する部分が、短側壁３０の上端から下端まで延在する凹部３０ｃ内に入り込み収容され、且つ、折り畳まれ水平状態の短側壁３０に当接しないように構成されているので、折り畳まれた折り畳みコンテナーの高さが低くなり、従って、折り畳まれた折り畳みコンテナーの収容効率が向上する。
【００１７】
また、折り畳みコンテナーが折り畳まれた状態においては、底部１０に重ねられた長側壁２０のうち、上方に位置する長側壁２０の先端部分の重合部分２０’及びその付近に位置する部分が、短側壁３０の上端から下端まで延在する凹部３０ｃ内に入り込み収容され、且つ、折り畳まれ水平状態の短側壁３０に当接しないように構成されており、更に、短側壁３０に配設された係合枠３ａの先端面３０ａ４が、底部１０の凹部１０ｃを構成する長辺側土手部１０ａの上端１０ｃ１に載置されるように構成されているので、短側壁３０が、底部１０の長辺部１０ａから浮き上がるようなことなく、従って、折り畳んだ状態の折り畳みコンテナーの段積み状態が安定し、従って、多数の折り畳んだ状態の折り畳みコンテナーを段積みすることができる。
【００１８】
後から倒される短側壁３０の内壁面３０ｂの中央領域に、上端から下端まで延在する凹部３０ｃを形成したので、短側壁３０の強度の低下も少なく、しかも、折り畳んだ状態の折り畳みコンテナーの高さを低くするために、互いに重なり合う長側壁の略上半分を薄くした従来の折り畳みコンテナーに比べ、長側壁２０の強度が低下するようなことがない。
【００１９】
短側壁３０の内壁面３０ｂの中央領域に形成された凹部３０ｃの形状は、略垂直に立てられた短側壁３０を平面的に見て、台形状や円弧状に形成することが好ましい。このように形成することにより、収容された内容物が、短側壁３０の内壁面３０ｂと凹部３０ｃとにより形成される角部に引っ掛かるようなことを防止することができる。
【００２０】
なお、上述した実施例には、側壁が、相対する長側壁２０と相対する短側壁３とにより形成されている例が示されているが、本発明を、４つの側壁の横幅が同じである折り畳みコンテナーに適用することもできる。
【００２１】
【発明の効果】
本発明は、以上説明した構成を有しているので、以下に記載する効果を奏するものである。
【００２２】
先端部分が重なり合うように底部に重ねられた先に倒される側壁のうち、上方に位置する側壁の先端部分及びその付近に位置する部分が、後から倒される側壁に形成された凹部に入り込み収容されるように構成されているので、折り畳まれた折り畳みコンテナーの高さが低くなり、従って、折り畳まれた折り畳みコンテナーの収容効率が向上する。
【図面の簡単な説明】
【図１】図１は本発明の折り畳みコンテナーが箱型に組み立てられた状態の斜視図である。
【図２】図２は本発明の折り畳みコンテナーの組み立て途中の斜視図である。
【図３】図３は本発明の折り畳みコンテナーが折り畳まれた状態の斜視図である。
【図４】図４は本発明の折り畳みコンテナーが折り畳まれた状態の底部の短辺部に沿った垂直断面図である。
【図５】図５は従来の折り畳みコンテナーが折り畳まれた状態の斜視図である。
【符号の説明】
１０・・・・・・・・・・・底部
２０・・・・・・・・・・・長側壁
３０・・・・・・・・・・・短側壁
３０ｃ・・・・・・・・・・凹部
【図１】
0003958091.tif 000002
【図２】
0003958091.tif 000003
【図３】
0003958091.tif 000004
【図４】
0003958091.tif 000005
【図５】
0003958091.tif 000006